(57)【要約】【課題】近接して植えられている植物の生育を制御するために用いられる植物育成用照明装置において、植物の側面及び／又は下部位置における慢性的な日照不足を解消して、植物の生育を促進すると共に、植物病害を低減する。【解決手段】植物育成用照明装置１は、植物Ｐの上方から光を照射する上部照明器具２と、植物Ｐの側方及び下方位置に設置され、植物Ｐの側面及び下部位置に向けて光を照射する側部照明器具３及び下部照明器具４とを備える。側部照明器具３及び下部照明器具４により、植物Ｐの側面及び下部位置に向けて人工的に光を照射するので、比較的密に植物Ｐが植えられる状況下においても、植物Ｐの側面及び下部位置における慢性的な日照不足が解消され、植物Ｐの生育が促進される。また、植物Ｐの生育が促進されることにより、病気に対する植物Ｐの抵抗力が増し、植物Ｐが病気にかかり難くなる。【選択図】図１
2005328702.tif 000002
【特許請求の範囲】
【請求項１】
近接して植えられている植物の生育を制御するために、植物の上方から光を照射する上部照明器具を備えた植物育成用照明装置において、
植物の側面及び／又は下部位置の日照不足を補うために、植物の側方及び／又は下方位置に設置され、植物の側面及び／又は下部位置に向けて光を照射する側部照明器具及び／又は下部照明器具を、更に備えることを特徴とする植物育成用照明装置。
【請求項２】
前記側部照明器具及び／又は下部照明器具から照射される光が、
植物の生育を促進するための波長４００〜８００ｎｍの光、及び／又は、光依存性の高い空気伝染性の病原菌による植物病害を抑制するための波長２８０〜３４０ｎｍのＵＶ−Ｂを含むことを特徴とする請求項１に記載の植物育成用照明装置。
【請求項３】
前記側部照明器具及び／又は下部照明器具は、
植物の生育に併せて、植物の高さ方向にその配光が調整自在であり、且つ、照射する光量も調整自在であることを特徴とする請求項１又は請求項２のいずれかに記載の植物育成用照明装置。
【請求項４】
植物が植えられる床面に設置され、前記側部照明器具及び／又は下部照明器具から該床面の方向に向けて照射された光を、植物に向けて反射する床面反射板を備えることを特徴とする請求項１乃至請求項３のいずれかに記載の植物育成用照明装置。
【請求項５】
植物の側面及び／又は下部位置の日射量をモニタリングするために、植物の側面及び／又は下部位置に設置された照度センサと、
前記照度センサによる検出結果に基づいて、前記側部照明器具及び／又は下部照明器具の点灯時間及び／又は光量を制御する第１の照明制御手段と、
を備えることを特徴とする請求項１乃至請求項４のいずれかに記載の植物育成用照明装置。
【請求項６】
前記側部照明器具及び／又は下部照明器具が、植物の列と略平行に、略連続して設置されていることを特徴とする請求項１乃至請求項５のいずれかに記載の植物育成用照明装置。
【請求項７】
前記側部照明器具及び／又は下部照明器具の光色が、変換可能なことを特徴とする請求項１乃至請求項６のいずれかに記載の植物育成用照明装置。
【請求項８】
前記側部照明器具及び／又は下部照明器具の光色を制御する第２の照明制御手段を備え、
前記第２の照明制御手段は、日中は、植物の側面及び／又は下部位置の日照不足を補うための白色光を前記側部照明器具及び／又は下部照明器具の全て照明器具に照射させ、夜間は、前記病原菌の積極的な胞子形成抑制のための波長２８０〜３４０ｎｍのＵＶ-Ｂ若しくは波長４００〜５００ｎｍの青色光、植物の抵抗力を向上させるための波長６００〜７００ｎｍの赤色光、又は昼間の日照不足を補うための白色光のいずれか１つ以上の光を、前記側部照明器具及び／又は下部照明器具に照射させることを特徴とする請求項７に記載の植物育成用照明装置。
【発明の詳細な説明】
【技術分野】
【０００１】
本発明は、近接して植えられている植物の生育を制御するために用いられる植物育成用照明装置に関する。
【背景技術】
【０００２】
従来から、完全閉鎖型の植物育成システム（外光及び外気を遮断した空間内に植物を配置し、植物に対して適切な温湿度環境及び光環境を提供するシステム）、農業用のビニールハウス若しくはガラスハウス等の施設栽培、又は露地栽培等のように、植物が比較的密に植えられた状況下で、植物を栽培するために植物育成用照明装置が使用されている。
【０００３】
このような植物育成用照明装置は、例えば、上記施設栽培において、日中の日照不足を植物上部に設置した人工光源にて朝夕に補ったり、意識的に人工光源にて日長を延ばして植物の生育を制御しようとするものであり、その代表例として電照菊（主に秋菊が用いられ、日の長さが短くなると花芽をつける性質を利用し、光を朝夕にあてて、開花時期を調整する菊）の例などが挙げられる。
【０００４】
しかしながら、このような従来の植物育成用照明装置においては、植物上部に設置された人工光源から植物に向けて光を照射するため、近接して植えられている植物自身の影により、人工光の照射中又は日中においても、植物の側面及び下部位置において慢性的な日照（紫外線及び可視光）不足が生じていた。このため、植物の側面及び下部位置では、植物の生育が悪くなったり、植物が病害に侵され易い状況になっていた。
【０００５】
ところで、このような病害の原因の１つとして、灰色カビ病、菌核病、トマト輪紋病、白星病、うどんこ病、ベト病、炭そ病等のように胞子で伝播する糸状菌（カビ）が知られている。そして、これら糸状菌は、３６５ｎｍ付近のＵＶ−Ａが照射されることで胞子の形成が促進され、空気中に放出された胞子が伝搬されることによって病害が伝染することが知られている（以下、このような糸状菌を光依存性の高い空気伝染性の病原菌という）。
【０００６】
通常、このような植物病害が発生した場合は、速やかに薬剤による対処を行うが、苗や成果物に対する直接散布は、人体への悪影響が懸念されることから社会問題にもなっており、生産者としてはできる限り、薬剤の使用は避けたいと思っている現状がある。このため、薬剤を使用することなく植物病害を低減する方法が検討されている。
【０００７】
一方、植物上部に加えて、植物が植えられている土壌近傍にも照明器具を設置した装置が知られている（例えば、特許文献２参照）。この装置は、植物上部に設置された照明器具及び土壌近傍に設置された照明器具の光色を使い分けることにより、害虫を防除するようにした装置である。
【特許文献１】特開平６−２０９６５４号公報
【特許文献２】特開平１１−１９２０４４号公報
【発明の開示】
【発明が解決しようとする課題】
【０００８】
しかしながら、特許文献２に記載の装置は、害虫防除を目的とするものであり、植物が比較的密に植えられて栽培される状況下において、植物の側面及び下部位置における植物の生育不良の改善及び、植物病害を低減することができるものではない。
【０００９】
本発明は、上記課題を解決するためになされたものであり、植物が比較的密に植えられて栽培される状況下において、植物の側面及び下部位置における慢性的な日照不足を解消することにより、植物の生育を促進すると共に、植物病害を低減することができる植物育成用照明装置を提供することを目的とする。
【課題を解決するための手段】
【００１０】
上記目的を達成するために請求項１の発明は、近接して植えられている植物の生育を制御するために、植物の上方から光を照射する上部照明器具を備えた植物育成用照明装置において、植物の側面及び／又は下部位置の日照不足を補うために、植物の側方及び／又は下方位置に設置され、植物の側面及び／又は下部位置に向けて光を照射する側部照明器具及び／又は下部照明器具を、更に備えることを特徴とする。
【００１１】
請求項２の発明は、請求項１に記載の発明において、前記側部照明器具及び／又は下部照明器具から照射される光が、植物の生育を促進するための波長４００〜８００ｎｍの光、及び／又は、光依存性の高い空気伝染性の病原菌による植物病害を抑制するための波長２８０〜３４０ｎｍのＵＶ−Ｂを含むことを特徴とする。
【００１２】
請求項３の発明は、請求項１又は請求項２のいずれかに記載の発明において、前記側部照明器具及び／又は下部照明器具は、植物の生育に併せて、植物の高さ方向にその配光が調整自在であり、且つ、照射する光量も調整自在であることを特徴とする。
【００１３】
請求項４の発明は、請求項１乃至請求項３のいずれかに記載の発明において、植物が植えられる床面に設置され、前記側部照明器具及び／又は下部照明器具から該床面の方向に向けて照射された光を、植物に向けて反射する床面反射板を備えることを特徴とする。
【００１４】
請求項５の発明は、請求項１乃至請求項４のいずれかに記載の発明において、植物の側面及び／又は下部位置の日射量をモニタリングするために、植物の側面及び／又は下部位置に設置された照度センサと、前記照度センサによる検出結果に基づいて、前記側部照明器具及び／又は下部照明器具の点灯時間及び／又は光量を制御する第１の照明制御手段とを備えることを特徴とする。
【００１５】
請求項６の発明は、請求項１乃至請求項５のいずれかに記載の発明において、前記側部照明器具及び／又は下部照明器具が、植物の列と略平行に、略連続して設置されていることを特徴とする。
【００１６】
請求項７の発明は、請求項１乃至請求項６のいずれかに記載の発明において、前記側部照明器具及び／又は下部照明器具の光色が、変換可能なことを特徴とする。
【００１７】
請求項８の発明は、請求項７に記載の発明において、前記側部照明器具及び／又は下部照明器具の光色を制御する第２の照明制御手段を備え、前記第２の照明制御手段は、日中は、植物の側面及び／又は下部位置の日照不足を補うための白色光を前記側部照明器具及び／又は下部照明器具の全て照明器具に照射させ、夜間は、前記病原菌の積極的な胞子形成抑制のための波長２８０〜３４０ｎｍのＵＶ-Ｂ若しくは波長４００〜５００ｎｍの青色光、植物の抵抗力を向上させるための波長６００〜７００ｎｍの赤色光、又は昼間の日照不足を補うための白色光のいずれか１つ以上の光を、前記側部照明器具及び／又は下部照明器具に照射させることを特徴とする。
【発明の効果】
【００１８】
請求項１の発明によれば、植物の側方及び／又は下方位置に設置された側部照明器具及び／又は下部照明器具により、植物の側面及び／又は下部位置に向けて人工的に光を照射するので、比較的密に植物が植えられている状況下においても、植物の側面及び／又は下部位置における慢性的な日照不足が解消され、植物の生育が促進される。また、植物の生育が促進されることにより、病気に対する植物の抵抗力が増し、植物が病気にかかり難くなる。
【００１９】
請求項２の発明によれば、側部照明器具及び／又は下部照明器具から照射される光は、植物の生育を促進するための波長４００〜８００ｎｍの光、及び／又は、光依存性の高い空気伝染性の病原菌による植物病害を抑制するための波長２８０〜３４０ｎｍのＵＶ−Ｂを含むので、波長４００〜８００ｎｍの光により、植物の生育が促進されると共に、植物が病気にかかり難くなる。また、ＵＶ−Ｂが直接的に糸状菌に作用することにより、胞子形成や菌糸の生長が抑えられるので、病気の広がりを抑えることが可能となる。
【００２０】
請求項３の発明によれば、側部照明器具及び／又は下部照明器具は、植物の生育に併せて、植物の高さ方向の配光、及び照射する光量を調整することができるので、植物の生育状況に応じて、植物の側面及び／又は下部位置に向けて効率よく光を照射することができる。
【００２１】
請求項４の発明によれば、側部照明器具及び／又は下部照明器具から床面の方向に向けて照射された光を、床面反射板により植物に向けて反射することができるので、植物の側面及び／又は下部位置に効率よく光を照射することができる。
【００２２】
請求項５の発明によれば、照度センサにより植物の側面及び／又は下部位置の日射量をモニタリングして、側部照明器具及び／又は下部照明器具の点灯時間及び／又は光量を制御できるようにしたので、実際に植物の側面及び／又は下部位置が、どの程度光が足りていないかを正確に把握して、植物に効率よく光を照射することができる。
【００２３】
請求項６の発明によれば、側部照明器具及び／又は下部照明器具が、植物の列と略平行に、略連続して設置されているので、個々の側部照明器具及び／又は下部照明器具の照射範囲に対して、植物が広い範囲に亘って列状に植えられている場合であっても、これら植物に効率よく光を照射することができる。
【００２４】
請求項７の発明によれば、側部照明器具及び／又は下部照明器具の光色を変換することができるので、状況に応じて最適な光色を選択することにより、より効果的に植物の生育を促進すると共に、植物病害を低減することができる。
【００２５】
請求項８の発明によれば、第２の照明制御手段により、日中は白色光を側部照明器具及び／又は下部照明器具の全ての照明器具に照射させ、夜間は、ＵＶ-Ｂ若しくは青色光、赤色光、又は白色光のいずれか１つ以上の光を、側部照明器具及び／又は下部照明器具に照射させるので、日中は、植物の側面及び／又は下部位置における日照不足が改善されると共に、夜間は状況に応じて最適な光色を選択することにより、より効果的に植物の生育を促進すると共に、植物病害を低減することができる。
【発明を実施するための最良の形態】
【００２６】
以下、本発明の第１の実施形態である植物育成用照明装置について、図１及び図２を参照して説明する。植物育成用照明装置１は、完全閉鎖型の植物育成システム、農業用のビニールハウス若しくはガラスハウスなどの施設栽培、又は露地栽培等において、比較的密な状態で植えられている植物に、光を照射するために使用される装置である。
【００２７】
植物育成用照明装置１は、植物Ｐの上方から光を照射するために植物Ｐの上方位置に設置された上部照明器具２と、植物Ｐの側面位置に向けて光を照射するために植物Ｐの側方位置に設置された側部照明器具３と、植物Ｐの下部位置に向けて光を照射するために植物Ｐの下方位置に設置された下部照明器具４とを備えている。なお、図１（ｂ）においては、上部照明器具２の構成部材である光源２１及び反射板２２のみを示しており、以下同様に、側部照明器具３の光源３１及び反射板３２、下部照明器具４の光源４１のみを示している。
【００２８】
植物Ｐは、床面Ｇに形成された畝Ｆに並んで植えられており、側部照明器具３及び下部照明器具４は、この畝Ｆと略平行（植物Ｐの列と略平行）に略連続して設置されている。より具体的には、例えば、植物Ｐの側面及び下部位置に、シリンダ等で覆い防水加工を施した蛍光灯を畝Ｆと略平行に配置したり、出力の弱い白熱電球、ハロゲン電球、又はＬＥＤランプ等を、畝と略平行に複数個並べて配置することにより、側部照明器具３及び下部照明器具４を設置する。また、ホローライトガイド方式の照明器具、光ファイバ、又は長細い形状にしたＥＬ器具等の連続光源を、畝Ｆと略平行に配置することにより、側部照明器具３及び下部照明器具４を設置することも有効である。
【００２９】
このように、側部照明器具３及び下部照明器具４が、植物Ｐの列と略平行に、略連続して設置されているので、個々の照明器具３，４の照射範囲に対して、植物Ｐが広い範囲に亘って列状に植えられている場合であっても、これら植物Ｐの側面及び下部位置に効率よく光を照射することができる。
【００３０】
また、植物Ｐの側方及び下方位置に設置された、これら側部照明器具３及び下部照明器具４により、植物Ｐの側面及び下部位置に向けて積極的に光を照射するので、比較的密に植物が植えられている状況下においても、植物Ｐの側面及び下部位置における慢性的な日照不足が解消され、植物Ｐの生育が促進される。また、植物Ｐの生育が促進されることにより、病気に対する植物Ｐの抵抗力が増し、植物Ｐが病気にかかり難くなる。
【００３１】
このような側部照明器具３及び下部照明器具４に使用される光源３１，４１は、波長４００〜８００ｎｍの範囲の光を照射する光源、又は波長２８０〜３４０ｎｍの範囲の紫外線（以下、ＵＶ−Ｂという）を照射する光源の少なくともいずれか一方であることが望ましい。波長４００〜８００ｎｍの範囲の光を照射する光源は、植物の生育を促進することを目的として使用される。このような光源としては、例えば、電球、ハロゲン電球、白色蛍光灯、又は高輝度放電灯（低圧ナトリウム灯、高圧ナトリウム灯、メタルハライドランプ、水銀灯）等が挙げられる。
【００３２】
また、ＵＶ−Ｂを照射する光源としては、光依存性の高い空気伝染性の植物病害を抑制することを目的として使用される。このような光源としては、例えば、日焼け用蛍光灯、水銀灯、又は高輝度放電灯（メタルハライドランプ）等が挙げられる。実際に、暗室内に炭疽病菌を接種した培地を載置し、それぞれＵＶ−Ｂ蛍光灯又は白色蛍光灯（比較例）のみを点灯して７日間、ＵＶ−Ｂの菌糸の生長抑制試験を行ったところ、白色蛍光灯により、照度２２０ｌｘ、ＵＶ−Ｂ量０．４μＷ／ｃｍ２の光を照射したサンプルについては、菌糸の生長が観察されたのに対し、ＵＶ-Ｂ蛍光灯により、照度１１．５ｌｘ、ＵＶ−Ｂ量３１．８μＷ／ｃｍ２の光を照射したサンプルについては、目視できる菌糸の生長は観察されなかった。これは、ＵＶ−Ｂが直接的に糸状菌に作用することにより、胞子形成や菌糸の生長が抑制されたものと考えられる。
【００３３】
このように、側部照明器具３及び下部照明器具４から照射される光が、波長４００〜８００ｎｍの光を含むことにより、植物Ｐの生育が促進されると共に、植物Ｐが病気にかかり難くなる。また、側部照明器具３及び下部照明器具４から照射される光が、ＵＶ−Ｂを含むことにより、菌糸の生長が抑えられるので、病気の広がりを抑えることが可能となる。
【００３４】
なお、図２に示されるように、これら側部照明器具３及び下部照明器具４は、それぞれ１つの光源により構成される必要はなく、例えば、側部照明器具３の光源３１ａ，３１ｂを、植物Ｐの高さ方向ａに複数配置して、植物Ｐの側面を照射するようにしてもよい。また、例えば、植物Ｐと光源２１，３１ａ，３１ｂ，４１の間にフィルタ２３，３３ａ，３３ｂ，４３を配置することにより、糸状菌の胞子の形成を促進させる３６５ｎｍ付近のＵＶ−Ａをフィルタ２３，３３ａ，３３ｂ，４３で吸収するようにしてもよい。また、植物育成用照明装置１による人工光の照射時間については、通常の補光照明と同じように朝夕だけ行う場合と、日中から行う場合の両方が考えられる。
【００３５】
次に、本発明の第２の実施形態について図３を参照して説明する。本実施形態における植物育成用照明装置１は、植物Ｐの生育に併せて、植物Ｐの高さ方向ａに、側部照明器具３及び下部照明器具４の配光が調整自在であり、且つ、照射する光量も調整自在である点で第１の実施形態と異なる。
【００３６】
側部照明器具３及び下部照明器具４の配光を調整する手段は、側部照明器具３及び下部照明器具４の配光が植物Ｐの高さ方向ａに調整自在であれば、特に限定されるものではなく、例えば、図３（ａ）（ｂ）に示されるように、側部照明器具３及び下部照明器具４の光源３１ａ，３１ｂ，４１の設置角度を矢印ｂ１〜ｂ３のように調整自在とすることにより、植物Ｐの高さ方向ａに配光が調整できるようにしてもよい。また、光源３１ａ，３１ｂ，４１に配光調整可能な反射板を取り付けることにより、側部照明器具３及び下部照明器具４の配光を調整できるようにしてもよい。
【００３７】
また、側部照明器具３及び下部照明器具４の光量を調整する手段は、特に限定されるものではなく、例えば、図３（ａ）（ｂ）に示されるように、側部照明器具３及び下部照明器具４への電力の供給を制御して光源３１ａ，３１ｂ，４１を点灯又は消灯させることにより、側部照明器具３及び下部照明器具４から照射される光の光量を調整するようにしてもよい。なお、図３（ａ）において、消灯状態の光源２１，３１ｂを点線で示している。
【００３８】
これら側部照明器具３及び下部照明器具４の配光及び光量は、植物Ｐの生育に併せて調整される。例えば、図３（ａ）に示されるように、初期の生育ステージにおいて、植物Ｐがあまり生育しておらず植物Ｐがまだ小さい場合には、上部照明器具２及び側部照明器具３の光源２１，３１ｂを消灯させると共に、側部照明器具３及び下部照明器具４の光源３１ａ，４１の取付角度を調整することにより、配光の広がりを抑え、光量を少なくする。一方、図３（ｂ）に示されるように、植物Ｐが大きくなるにつれて、上部照明器具２及び側部照明器具３の光源２１，３１ｂを点灯させると共に、側部照明器具３及び下部照明器具４の光源３１ａ，３１ｂ，４１の取付角度を調整することにより、配光を広くし、光量も多くする。なお、側部照明器具３及び下部照明装置４の配光及び光量の調整の仕方は、必ずしも上述した例に限られるものではなく、上部照明器具２の光量が少ない場合や、植物Ｐ自身が比較的多くの光を必要とする場合には、初期の生育ステージにおいても上部照明器具２及び側部照明器具３の光源２１，３１ｂを点灯させるなどしてもよい。
【００３９】
本実施形態の植物育成用照明装置１によれば、植物Ｐの生育に併せて、植物Ｐの高さ方向ａの配光、及び光量を調整することができるので、植物Ｐの生育状況に応じて、植物Ｐの側面及び下部位置に向けて効率よく光を照射することができる。
【００４０】
次に、本発明の第３の実施形態について図４を参照して説明する。本実施形態における植物育成用照明装置１は、床面反射板５を備える点で第１及び第２の実施形態と異なる。
【００４１】
床面反射板５は、植物Ｐが植えられる床面Ｇに設置され、側部照明器具３及び下部照明器具４の光源３１，４１から床面Ｇの方向に向けて照射された光を、植物Ｐに向けて反射する。床面反射板５に使用される材料は、側部照明器具３及び下部照明器具４から照射された光を効率よく反射できるものであれば、特に限定されるものではなく、反射板として使用される公知の材料を使用することができる。
【００４２】
本実施形態の植物育成用照明装置１によれば、側部照明器具３及び下部照明器具４から床面Ｇの方向に向けて照射された光を、床面反射板５により植物Ｐに向けて反射することができるので、植物Ｐに効率よく光を照射することができる。
【００４３】
次に、本発明の第４の実施形態について図５を参照して説明する。本実施形態における植物育成用照明装置１は、植物Ｐの側面及び下部位置の日射量をモニタリングするための照度センサ６ａ，６ｂと、これら照度センサ６ａ，６ｂによる検出結果に基づいて、側部照明器具３及び下部照明器具４の点灯時間及び光量を制御する制御部７（第１の照明制御手段）とを備えている点で、他の実施形態と異なる。
【００４４】
制御部７は、センサ信号線８を介して照度センサ６ａ，６ｂに接続されると共に、調光信号線９を介して上部照明器具２、側部照明器具３及び下部照明器具４に接続される。そして、照度センサ６ａ，６ｂから入力された植物Ｐの側部及び下部位置の照度データに基づいて各照明器具２，３，４の光源２１，３１，４１の点灯時間及び光量を決定し、各照明器具２，３，４の点灯及び消灯、並びに光量を制御するための調光信号を調光信号線９を介して各照明器具２，３，４に出力する。制御部７による各照明器具２，３，４の制御方法は、特に限定されるものではなく、栽培される植物Ｐの種類やその育成ステージ、育成環境に応じて適宜決定される。例えば、予め定めておいた各時間帯における光量を確保するために、照度センサ６ａ，６ｂから入力された照度データを基に、所定の光量を補うように照明器具２，３，４の光量や点灯時間を調整するようにしてもよい。また、植物Ｐの上部位置にも照度センサを配置して上部の光量も同時にセンシングし、植物Ｐの側部及び下部位置の光量を、植物Ｐの上部位置と同等の光量になるように調整するようにしてもよい。また、予め定めておいた一日の積算光量や植物上部の積算光量に応じて、側部照明器具３及び下部照明器具４の点灯時間及び光量を調整してもよい。
【００４５】
本実施形態の植物育成用照明装置１によれば、照度センサ６ａ，６ｂにより植物Ｐの側面及び下部の日射量をモニタリングして、側部照明器具３及び下部照明器具４の点灯時間及び光量を制御できるようにしたので、実際に植物Ｐの側面及び下部位置が、どの程度光が足りていないかを正確に把握して、植物Ｐに効率よく光を照射することができる。
【００４６】
次に、本発明の第５の実施形態について図６を参照して説明する。本実施形態における植物育成用照明装置１は、側部照明器具３及び下部照明器具４の光色が、変換可能であると共に、この側部照明器具３及び下部照明器具４の光色を制御する制御部（第２の照明制御手段）を備える点で他の実施形態と異なる。
【００４７】
側部照明器具３及び下部照明器具４の光色を変換させる手段は、特に限定されるものではなく、例えば、各照明器具３，４が複数の光色の光源を備えており、制御部が、状況に応じて、これら各光色の光源に電力を供給することにより、各照明器具３，４の光色を変換させるようにしてもよい。
【００４８】
各光源の光色は、特に限定されるものではなく、例えば、白色光を照射する白色光源や、ＵＶ−Ｂを照射するＵＶ−Ｂ光源の他、青色光を照射する青色光源、赤色光を照射する赤色光源などが挙げられる。
【００４９】
白色光源としては、電球、ハロゲン電球、白色蛍光灯、高輝度放電灯（低圧ナトリウム灯、高圧ナトリウム灯、メタルハライドランプ、水銀灯）等が挙げられる。ＵＶ−Ｂ光源としては、日焼け用蛍光灯、水銀灯、又は高輝度放電灯（メタルハライドランプ）等が挙げられる。青色光源としては、青色蛍光灯、青色ＬＥＤ、青色冷陰極蛍光灯、青色ＥＬ、青色無電極ランプ、青色ＨＩＤ等が挙げられる。赤色光源としては、赤色蛍光灯、赤色ＬＥＤ、赤色冷陰極蛍光灯、赤色ＥＬ、赤色無電極ランプ、赤色ＨＩＤ、等が挙げられる。白色光のかわりに青色光源を用いると、ウドンコ病の胞子形成を抑制することができる。また、白色光のかわりに赤色光源を用いると、植物体自身の病気抵抗性が増し、病気にかかり難くなる。
【００５０】
このように、側部照明器具３及び下部照明器具４の光色を変換することができるので、状況に応じて最適な光色を選択することにより、より効果的に植物の生育を促進すると共に、植物病害を低減することができる。
【００５１】
次に、図６を参照して、制御部による側部照明器具３及び下部照明器具４の光色の制御方法について、昼間と夜間とで、照明器具３，４の光色を変化させた場合を例に説明する。なお、図６において、白色光を照射する照明器具を３ａで、ＵＶ−Ｂ光を照射する照明器具を３ｂで、青色光を照射する照明器具を３ｃで、赤色光を照射する照明器具３ｄで、それぞれ示している。
【００５２】
図６に示されるように、日中においては、全ての側部照明器具３及び下部照明器具４に白色光を照射させる一方、夜間においては、側部照明器具３及び下部照明器具４にＵＶ-Ｂ若しくは青色光、赤色光、又は白色光のいずれか１つ以上の光を照射させる。このようにすることにより、日中は、植物Ｐの側面及び下部位置における日照不足が改善されると共に、夜間は状況に応じて最適な光色を選択することにより、より効果的に植物Ｐの生育を促進すると共に、植物病害を低減することができる。
【００５３】
なお、本実施形態では、夜間に同時に複数の色（ウドンコ病の胞子形成抑制目的で青色、その他の病害防除目的でＵＶ-Ｂの紫外線、植物自身による病害への抵抗力向上を目的として赤色、昼間の日射量を補う目的として白色）を点灯させる場合について説明したが、この他にも、ある時間帯には全ての照明器具３，４が同じ色に点灯し、時間帯又は日によってこれらの色を変化させるようにしてもよい。また、同時に複数の色を点灯させながら、時間帯によって同じ照明器具から放射される光色を変化させるようにしてもよい。
【００５４】
また、本発明は上記の実施例に限定されるものではなく、発明の趣旨を変更しない範囲で種々の変形が可能である。例えば、上記実施形態においては、側部照明器具３及び下部照明器具４の両方を使用した場合について説明したが、側部照明器具３又は下部照明器具４のいずれか一方を使用してもよい。
【図面の簡単な説明】
【００５５】
【図１】（ａ）は本発明の第１の実施形態に係る植物育成用照明装置を示す平面図であり、（ｂ）は同照明装置を示す立面図。
【図２】複数の側部照明器具及びフィルタを備える同照明装置の立面図。
【図３】（ａ）（ｂ）は本発明の第２の実施形態に係る植物育成用照明装置を示す立面図であり、（ａ）は早期育成ステージにおける立面図、（ｂ）は早期育成ステージ経過後の立面図。
【図４】本発明の第３の実施形態に係る植物育成用照明装置を示す立面図。
【図５】本発明の第４の実施形態に係る植物育成用照明装置を示す立面図。
【図６】本発明の第５の実施形態に係る植物育成用照明装置を示す平面図。
【符号の説明】
【００５６】
１    植物育成用照明装置
２    上部照明器具
３    側部照明器具
４    下部照明器具
５    床面反射板
６ａ，６ｂ  照度センサ
７    制御部
８    センサ信号線
９    調光信号線
Ｐ    植物
【図１】
2005328702.tif 000003
【図２】
2005328702.tif 000004
【図３】
2005328702.tif 000005
【図４】
2005328702.tif 000006
【図５】
2005328702.tif 000007
【図６】
2005328702.tif 000008